(57)【要約】  ＵＭＴＳ等の通信システムが、第１局ＰＳにユーザ装置ＵＥ１、ＵＥ２を制御することができるスケジューラ１２を有している。該スケジューラは、ＨＳＵＰＡ（高速アップリンクパケットアクセス）等のデータ送信モードで動作する場合に、上記ユーザ装置を絶対グラントＡＧと相対グラントＲＧとの組み合わせで制御する。上記相対グラントは、送信パラメータを基準値に対して調整するように作用する。該相対グラントに対する基準値は、１以上のグラントの特性に依存して選択される。このような特性は、絶対グラントが全プロセスグラント又は単一プロセスグラントであることを含むことができる。
2009505475.tif 000002
【特許請求の範囲】
【請求項１】
第１信号を送信するステップと、第２信号の受信に応答して前記第１信号の送信パラメータを該第２信号により示される値に従って調整するステップと、第３信号の受信に応答して前記第１信号の送信パラメータを基準値に対して調整するステップとを有するような通信装置を動作させる方法であって、該方法が、前記基準値を選択するステップを更に有し、該基準値が第１の先行する時点における第１送信パラメータの値及び第２の先行する時点における第２送信パラメータの値から選択され、該選択が前記第２及び第３信号のうちの少なくとも一方の特性に依存するような方法。
【請求項２】
請求項１に記載の方法において、前記第１信号が送信期間（ＴＴｌ）の群で送信されるデータを有し、前記第１の先行する時点が第１の先行するＴＴｌであり、前記第２の先行する時点が第２の先行するＴＴｌであるような方法。
【請求項３】
請求項２に記載の方法において、前記第１の先行するＴＴｌが、先行する群のＴＴｌにおける対応する番号のＴＴｌであるような方法。
【請求項４】
請求項２又は請求項３に記載の方法において、前記第２の先行するＴＴｌが、直前のＴＴｌ、第２信号が適用された最も最近の先行するＴＴｌ、前記第１の先行するＴＴｌの後に第２信号が適用された最先のＴＴｌ、第３信号が適用された最も最近の先行するＴＴｌ、前記第１の先行するＴＴｌの後に第３信号が適用された最先のＴＴｌ、前記第１の先行するＴＴｌの後に前記第２及び第３信号のうちの最も低い値の信号が適用されたＴＴｌ、並びに前記第１の先行するＴＴｌの後に前記第２及び第３信号のうちの最も高い値の信号が適用されたＴＴｌのうちの１つであるような方法。
【請求項５】
請求項１ないし３の何れか一項に記載の方法において、前記基準値は、前記通信装置が第１の先行するＴＴｌより遅いＴＴｌに適用可能な第２信号を受信した場合は第２の先行するＴＴｌにおける前記第２送信パラメータの値となるように選択され、それ以外の場合、前記基準値は前記第１の先行するＴＴｌにおける前記第１送信パラメータの値となるように選択されるような方法。
【請求項６】
請求項１ないし３の何れか一項に記載の方法において、データは複数のプロセスで送信され、前記基準値は第１の先行するＴＴｌより遅いＴＴｌに適用可能な先行する第２信号が全プロセス第２信号である特性を有するか又は単一プロセス第２信号である特性を有するかに依存して選択されるような方法。
【請求項７】
請求項６に記載の方法において、全プロセス第２信号の場合、前記基準値は前記第２の先行するＴＴｌにおける第２送信パラメータの値となるように選択され、単一プロセス第２信号の場合、前記基準値は前記第１の先行するＴＴｌにおける第１送信パラメータの値となるように選択されるような方法。
【請求項８】
請求項１ないし３の何れか一項に記載の方法において、前記第１及び第２送信パラメータの少なくとも一方が、データを送信するのに利用可能な電力であるような方法。
【請求項９】
請求項１ないし３の何れか一項に記載の方法において、前記第１及び第２送信パラメータの少なくとも一方が、データ送信に利用可能なレートであるような方法。
【請求項１０】
請求項１ないし３の何れか一項に記載の方法において、前記第１及び第２送信パラメータの少なくとも一方が、データ送信に利用可能な電力と、制御信号の送信に使用される電力との間の比であるような方法。
【請求項１１】
請求項１ないし３の何れか一項に記載の方法において、前記第１及び第２送信パラメータの少なくとも一方が、データ送信に使用される電力であるような方法。
【請求項１２】
請求項１ないし３の何れか一項に記載の方法において、前記第１及び第２送信パラメータの少なくとも一方が、データ送信に使用されるレートであるような方法。
【請求項１３】
請求項１ないし３の何れか一項に記載の方法において、前記第１及び第２送信パラメータの少なくとも一方が、データ送信に使用される電力と、制御信号の送信に使用される電力との間の比であるような方法。
【請求項１４】
請求項１ないし３の何れか一項に記載の方法において、前記第１送信パラメータはデータ送信に使用される電力と制御信号の送信に使用される電力との間の比であり、前記第２送信パラメータはデータ送信に利用可能な電力と制御信号の送信に使用される電力との間の比であるような方法。
【請求項１５】
請求項１ないし３の何れか一項に記載の方法において、第２信号の関連する前記特性は、第１の先行するＴＴｌにおける前記第１送信パラメータの値と比較した自身の値であるような方法。
【請求項１６】
請求項１５に記載の方法において、前記基準値は、前記第２信号が前記第１の先行するＴＴｌにおける第１送信パラメータの値より低い値を有することに応答して、前記第２の先行するＴＴｌにおける第２送信パラメータの値となるように選択され、前記基準値は、前記第２信号が前記第１の先行するＴＴｌにおける第１送信パラメータの値より高い値を有することに応答して、前記第１の先行するＴＴｌにおける第１送信パラメータの値となるように選択されるような方法。
【請求項１７】
請求項１ないし３の何れか一項に記載の方法において、前記特性は前記第３信号に関係するものであり、前記基準値は、該第３信号が減少であることに応答して第１の値となるように選択される、前記基準値は、該第３信号が増加であることに応答して第２の値となるように選択されるような方法。
【請求項１８】
請求項１７に記載の方法において、前記第１の値は、前記第１の先行するＴＴｌにおける第１送信パラメータの値及び前記第２の先行するＴＴｌにおける第２送信パラメータの値のうちの低い方であり、前記第２の値は、前記第１の先行するＴＴｌにおける第１送信パラメータの値と、前記第２の先行するＴＴｌにおける第２送信パラメータの値と、前記第１の先行するＴＴｌにおける第１送信パラメータの値及び前記第２の先行するＴＴｌにおける第２送信パラメータの値のうちの高い方とのうちの１つであるような方法。
【請求項１９】
請求項１に記載の方法において、前記第２信号は絶対グラントを有し、前記第３信号は相対グラントを有し、前記基準値は所定のタイムウインドウ内で受信された単一プロセス絶対グラントが当該相対グラントと同一のＨＡＲＱ（ハイブリッド自動繰返要求）プロセスで識別された場合は第１の値となるように選択され、前記基準値は前記所定のタイムウインドウ内で受信された単一プロセス絶対グラントが当該相対グラントのものとは異なるＨＡＲＱ（ハイブリッド自動繰返要求）プロセスで識別された場合は第２の値となるように選択されるような方法。
【請求項２０】
請求項２又は請求項３に記載の方法において、前記第１及び第２の先行するＴＴｌが同一であるような方法。
【請求項２１】
請求項１ないし２０の何れか一項に記載の方法に従って通信装置の動作を制御するソフトウェア。
【請求項２２】
第１信号を送信する送信器と、第２信号の受信に応答して前記第１信号の送信パラメータを該第２信号により示される値に従って調整すると共に、第３信号に応答して前記第１信号の送信パラメータを基準値に対して調整するような制御手段とを有する通信装置であって、該通信装置が、前記第２及び第３信号の少なくとも一方の特性に依存して、前記基準値を第１の先行する時点における第１送信パラメータの値及び第２の先行する時点における第２送信パラメータの値の一方から選択する選択手段を更に有するような通信装置。
【請求項２３】
請求項２２に記載の装置において、前記第１信号が送信期間（ＴＴｌ）の群で送信されるデータを有し、前記第１の先行する時点が第１の先行するＴＴｌであり、前記第２の先行する時点が第２の先行するＴＴｌであるような装置。
【請求項２４】
請求項２３に記載の装置において、前記第１の先行するＴＴｌが、先行する群のＴＴｌにおける対応する番号のＴＴｌであるような装置。
【請求項２５】
請求項２２ないし２４の何れか一項に記載の装置において、前記第１及び第２送信パラメータの少なくとも一方が、データを送信するのに利用可能な電力であるような装置。
【請求項２６】
請求項２２ないし２４の何れか一項に記載の装置において、前記第１及び第２送信パラメータの少なくとも一方が、データ送信に利用可能なレートであるような装置。
【請求項２７】
請求項２２ないし２４の何れか一項に記載の装置において、前記第１及び第２送信パラメータの少なくとも一方が、データ送信に利用可能な電力と、制御信号の送信に使用される電力との間の比であるような装置。
【請求項２８】
請求項２２いし２４の何れか一項に記載の装置において、前記第１及び第２送信パラメータの少なくとも一方が、データ送信に使用される電力であるような装置。
【請求項２９】
請求項２２ないし２４の何れか一項に記載の装置において、前記第１及び第２送信パラメータの少なくとも一方が、データ送信に使用されるレートであるような装置。
【請求項３０】
請求項２２ないし２４の何れか一項に記載の装置において、前記第１及び第２送信パラメータの少なくとも一方が、データ送信に使用される電力と、制御信号の送信に使用される電力との間の比であるような装置。
【請求項３１】
請求項２２ないし２４の何れか一項に記載の装置において、第２信号の関連する前記特性は、第１の先行するＴＴｌにおける前記第１送信パラメータの値と比較した自身の値であるような装置。
【請求項３２】
スケジューラと少なくとも１つの通信装置とを有する通信システムを動作させる方法であって、該方法は、前記通信装置が第１信号を送信し、前記スケジューラにより発生された第２信号の受信に応答して前記第１信号の送信パラメータを該第２信号により示される値に従って調整し、且つ、前記スケジューラにより発生された第３信号の受信に応答して前記第１信号の送信パラメータを基準値に対して調整するようなステップを有し、該方法は前記通信装置が前記基準値を選択するステップを更に有し、該基準値が第１の先行する時点における第１送信パラメータの値及び第２の先行する時点における第２送信パラメータの値から選択され、該選択が前記第２及び第３信号の少なくとも一方の特性に依存するような方法。
【請求項３３】
請求項３２に記載の方法において、前記第１信号が送信期間（ＴＴｌ）の群で送信されるデータを有し、前記第１の先行する時点が第１の先行するＴＴｌであり、前記第２の先行する時点が第２の先行するＴＴｌであるような方法。
【請求項３４】
請求項３３に記載の方法において、前記第１の先行するＴＴｌが、先行する群のＴＴｌにおける対応する番号のＴＴｌであるような方法。
【請求項３５】
請求項３２ないし３４の何れか一項に記載の方法において、前記第１及び第２送信パラメータの少なくとも一方が、データを送信するのに利用可能な電力であるような方法。
【請求項３６】
請求項３２ないし３４の何れか一項に記載の方法において、前記第１及び第２送信パラメータの少なくとも一方が、データ送信に利用可能なレートであるような方法。
【請求項３７】
請求項３２ないし３４の何れか一項に記載の方法において、前記第１及び第２送信パラメータの少なくとも一方が、データ送信に利用可能な電力と、制御信号の送信に使用される電力との間の比であるような方法。
【請求項３８】
請求項３２ないし３４の何れか一項に記載の方法において、前記第１及び第２送信パラメータの少なくとも一方が、データ送信に使用される電力であるような方法。
【請求項３９】
請求項３２ないし３４の何れか一項に記載の方法において、前記第１及び第２送信パラメータの少なくとも一方が、データ送信に使用されるレートであるような方法。
【請求項４０】
請求項３２ないし３４の何れか一項に記載の方法において、前記第１及び第２送信パラメータの少なくとも一方が、データ送信に使用される電力と、制御信号の送信に使用される電力との間の比であるような方法。
【請求項４１】
請求項３２ないし３４の何れか一項に記載の方法において、第２信号の関連する前記特性は、第１の先行するＴＴｌにおける前記第１送信パラメータの値と比較した自身の値であるような方法。
【請求項４２】
第２及び第３信号を発生するスケジューラと、請求項２２に記載の通信装置とを有する通信システム。
【請求項４３】
スケジューラとユーザ装置とを有する通信システムを動作させる方法であって、該方法が前記ユーザ装置を絶対グラントと相対グラントとの組み合わせで制御するステップを有し、前記絶対グラント又は前記相対グラントに付与される優先度が、１以上の斯かるグラントの特性に依存するような方法。
【請求項４４】
請求項４３に記載の方法において、共に同一の送信期間に適用可能な相対グラント及び絶対グラントをユーザ装置が受信するのに応答して、該ユーザ装置が前記受信された相対グラント及び絶対グラントの一方又は他方を、前記絶対グラントが全プロセスであるか又は単一プロセスであるかに依存して選択するような方法。
【請求項４５】
請求項４３に記載の方法において、共に同一の送信期間に適用可能な相対グラント及び絶対グラントをユーザ装置が受信するのに応答して、該ユーザ装置が前記受信された相対グラント及び絶対グラントの一方又は他方を、前記受信された相対グラント及び絶対グラントのうちのどちらが低い方か又は高い方かに依存して選択するような方法。
【請求項４６】
通信システムの動作を請求項４３ないし４５の何れか一項に記載の方法に従って制御するソフトウェア。
【発明の詳細な説明】
【技術分野】
【０００１】
本発明は、通信装置及びシステムを動作させる方法、通信装置並びに斯かる通信装置を含むシステムに関する。本発明は、専らではないが、特には高速アップリンクパケットアクセス（ＨＳＵＰＡ）に使用されるような高速スケジューリング方式に関連してＵＭＴＳ（Universal Mobile Telecommunication System）等の移動体通信システムに特別な利用分野を有する。
【背景技術】
【０００２】
説明の便宜上、本発明をＵＭＴＳシステムに関連して説明する。
【０００３】
典型的なＵＭＴＳシステムアーキテクチャが、添付図面の図１に示されており、該システムは少なくとも１つの一次（又は基地）局ＰＳと、通常ユーザ装置（ＵＥ）と呼ばれる複数の二次局ＵＥ１、ＵＥ２とを有している。一次局ＰＳとＵＥの各々との間の通信は、一次局ＰＳからＵＥへのダウンリンク及びＵＥから一次局ＰＳへのアップリンクからなる無線リンクによるものである。
【０００４】
各一次局ＰＳと該当するサービス領域におけるＵＥとの間でのデータパケットの伝送を制御するために、データパケットプロトコルが用いられる。ＵＭＴＳにおいて、アップリンクデータパケット規格は依然として発展中であり、高速アップリンクパケットアクセス（ＨＳＵＰＡ）に関しては、ＭＡＣ仕様の最新バージョンは３ＧＰＰ文書25.321である。添付図面の図２は、ＨＳＵＰＡの場合、各ＵＥは８個までの活性ハイブリッド自動繰返要求（ＨＡＲＱ）プロセスＨＡＲＱ１〜ＨＡＲＱ８を有することができ、これらはアップリンク（ＵＬ）上の連続する送信期間（ＴＴｌｓ）ＴＴｌ１〜ＴＴｌ８において順に送信されることを示している。説明の便宜上、ＴＴｌ１〜ＴＴｌ８の群は、集合的にフレームＦＲと呼ぶ。データパケットが満足ゆくように受信されたか否かに依存して、一次局ＰＳにおけるスケジューラは肯定的又は否定的アクノレッジＡＲＱ１〜ＡＲＱ８がダウンリンク（ＤＬ）上で送信されるようにし、これに応答してＵＥは新たなデータパケットを送信するか又は前のデータパケットを再送する。アップリンク送信は、アップリンク制御信号を有することもできる。
【０００５】
これらプロセスに対する伝送レートは、ＵＥに記憶された"サービンググラント"（ＳＧ）変数に従って設定される。該ＳＧは、一次局から新たなグラントが受信されるまでＵＥがどの様なレート及び／又は電力及び／又は電力比で送信することができるかの記録である。ＳＧの値は、"全プロセス"（即ち、共通の）絶対グラント（ＡＧ）により、又はプロセス固有の"単一プロセス"絶対グラントにより、又は相対グラント（ＲＧ）により更新することができる。ＡＧは新たなＳＧの指示情報を与える一方、ＲＧは前のフレームの対応する番号のＴＴｌにおけるデータ伝送レートに対してのＳＧに対する増加的又は減少的変化の指示情報である。
【０００６】
全プロセス絶対グラント（ＡＧ）はプロセスのうちの何れが活性状態であるかに影響を与えることなくＳＧの値を変化させる一方、単一プロセス絶対グラントは指示されたプロセスを活性状態又は非活性状態に設定すると同時にＳＧの値を更新する。絶対グラントの性質（全プロセス又は単一プロセス）は、グラント値と一緒に送られる"全プロセス"フラグにより示される。
【０００７】
相対グラント（ＲＧ）は、所定のタイミング関係により、特定のＨＡＲＱと関連付けられる。相対グラントは、ＳＧを、当該ＨＡＲＱプロセスの前の送信のために使用されたデータ送信電力及び／又はレートに対して設定する。これはＳＧを設定するので、ＲＧの実施はＡＧと同様に異なるプロセス上での後続の送信にも影響を与えることに注意されたい。
【０００８】
ＵＥは、受信された絶対グラント及び相対グラントコマンドに基づいて、サービンググラント及び活性ＨＡＲＱプロセスのリストを保持する。各々の絶対グラント及び相対グラントコマンドは、特定のＴＴｌで適用される。
【０００９】
上述した動作は、絶対及び相対グラントが順に受信される幾つかの場合において望ましくない結果をもたらし得る。
【００１０】
添付図面の図３は、ＵＥのＳＧがＴＴｌ１において３０で示す第１の値に設定されている場合を示し、該ＴＴｌの間においてＵＥはＨＡＲＱプロセス１を用い、該ＳＧにより示される最大のデータ送信電力（又は幾つかの場合においてはレート）を用いてデータを送信する。後続のＴＴｌにおいて、ＵＥは対応する連続した番号のＨＡＲＱプロセスを用いてデータを送信することができる。
【００１１】
ＴＴｌ２の場合、ＵＥは３２で示す第２の値にＳＧを減少させるＡＧを受信する。ＴＴｌ９（これは、次に続くフレームの最初のＴＴｌである）の場合、当該ネットワークは、当該ＵＥのデータ送信電力を、ＡＧを送るのに関連した相対的に大きな通知オーバーヘッドを伴うこと無しに、更に１ｄＢだけ減少させたいと欲する。斯様な小さな通知オーバーヘッドでのデータ送信電力の低減を達成するには、通常はＲＧが適切な方法であろうが、この場合、"低下（down）"相対グラントはＴＴｌ１において実際に使用された送信電力（即ち、ＳＧレベル３０）に対して適用されるから、この結果、前の７個のＴＴｌ、即ちＴＴｌ２〜ＴＴｌ８において使用されたＳＧレベル３２（前記絶対グラントによりＴＴｌ２において課された制約に従ったもの）と比較して、レベル３４へのデータ送信電力の不所望な増加となってしまう。
【００１２】
従って、現在の動作によれば、ネットワークには、通知における関連するオーバーヘッドを伴うような他のＡＧを使用する（又はＴＴｌ１０まで待つ）ことなしに、ＴＴｌ２〜９におけるＳＧを減少させる方法がない。
【００１３】
同様に、当該ネットワークにはＳＧをＴＴｌ２〜９における値に対して１段階（幾つかの例では、例えば＋１ｄＢ）増加させる方法がない。というのは、ＴＴｌ９における１ｄＢの"上昇（up）"ＲＧは、ＳＧを、添付図面の図４に示されるようにＳＧレベル３２に対してレベル３６まで、１段階又はインクリメントより大幅に多く上昇させるからである。
【００１４】
このような動作を説明する１つの方法は、ＲＧに対する基準値の選択がＡＧよりＲＧに優先権を与えると言うことである。これは常に適切又は望ましいとはいえない。
【発明の開示】
【発明が解決しようとする課題】
【００１５】
本発明の目的は、グラントのスケジューリングを用いてデータ伝送を制御する既知の方法の問題を克服することである。
【課題を解決するための手段】
【００１６】
本発明の第１態様によれば、通信装置を動作させる方法であって、第１信号を送信するステップと、第２信号の受信に応答して上記第１信号の送信パラメータを該第２信号により示される値に従って調整するステップと、第３信号の受信に応答して上記第１信号の送信パラメータを基準値に対して調整するステップとを有し、該方法が、上記基準値を選択するステップを更に有し、該基準値が第１の先行する時点における第１送信パラメータの値及び第２の先行する時点における第２送信パラメータの値から選択され、該選択が前記第２及び第３信号の少なくとも一方の特性（property）に依存するような方法が提供される。
【００１７】
本発明の第２態様によれば、第１信号を送信する送信器と、第２信号の受信に応答して上記第１信号の送信パラメータを該第２信号により示される値に従って調整すると共に、第３信号に応答して上記第１信号の送信パラメータを基準値に対して調整するような制御手段とを有する通信装置であって、該通信装置が、前記第２及び第３信号の少なくとも一方の特性に依存して、前記基準値を第１の先行する時点における第１送信パラメータの値及び第２の先行する時点における第２送信パラメータの値の一方から選択する選択手段を更に有するような通信装置が提供される。
【００１８】
本発明の第３態様によれば、スケジューラと少なくとも１つの通信装置とを有する通信システムを動作させる方法であって、該方法は、上記通信装置が第１信号を送信し、上記スケジューラにより発生される第２信号の受信に応答して上記第１信号の送信パラメータを該第２信号により示される値に従って調整し、且つ、上記スケジューラにより発生される第３信号の受信に応答して上記第１信号の送信パラメータを基準値に対して調整するようなステップを有し、該方法は前記通信装置が上記基準値を選択するステップを更に有し、該基準値が第１の先行する時点における第１送信パラメータの値及び第２の先行する時点における第２送信パラメータの値から選択され、該選択が前記第２及び第３信号の少なくとも一方の特性に依存するような方法が提供される。
【００１９】
本発明の第４態様によれば、必要に応じて第２及び第３信号を発生するスケジューラと、本発明の第２態様による通信装置とを有するような通信システムが提供される。
【００２０】
前記通信装置がＵＭＴＳシステムに使用するのに適し得るような本発明による方法の一実施例においては、前記第２及び第３信号は絶対グラント（ＡＧ）及び相対グラント（ＲＧ）を各々有し、上記相対グラントに対する前記基準値の選択は少なくとも一方のグラント（絶対又は相対の何れか）に依存する。
【００２１】
上記選択は、例えば、グラントが全ＨＡＲＱプロセスに適用されるか又は個々のＨＡＲＱプロセスに適用されるかに関係づけることができる。
【００２２】
特性が問題となっているグラントが絶対グラントである場合、本発明による方法においては、図３及び４を参照して説明した例におけるＴＴｌ２に適用可能な絶対グラントが当該問題の特性を有していたとすると、このＡＧはＴＴｌ９に対して受信されたＲＧに優先する。これは、ＴＴｌ９におけるＳＧの変化は、この場合、ＴＴｌ１におけるＳＧの値（即ち、図３及び４におけるＳＧレベル３０）に対してというより、ＴＴｌ８におけるＳＧの値（即ち、図３及び４におけるＳＧレベル３２）に対して生じるであろうことを意味する。
【００２３】
本発明による方法は、データが送信期間（ＴＴｌ）のグループ内で送信されるようなシステムにおいて使用することができる。このようなシステムにおいて、前記基準値は、第１の先行するＴＴｌにおける第１伝送パラメータの値及び第２の先行するＴＴｌにおける第２伝送パラメータの値を少なくとも有する一群の値から選択することができる。上記第１の先行するＴＴｌは、先行するグループのＴＴｌにおける対応する番号のＴＴｌとすることができる。前記第２の先行するＴＴｌは、直前のＴＴｌ、第２信号（又は絶対グラント）が適用された最も最近の先行するＴＴｌ、前記第１の先行するＴＴｌの後に第２信号（又は、絶対グラント）が適用された最先のＴＴｌ、第３信号（又は相対グラント）が適用された最も最近の先行するＴＴｌ、前記第１の先行するＴＴｌの後に第３信号（又は、相対グラント）が適用された最先のＴＴｌ、前記第１の先行するＴＴｌの後に最も低い値の信号（又は、グラント）が適用されたＴＴｌ、及び前記第１の先行するＴＴｌの後に最も高い値の信号（又は、グラント）が適用されたＴＴｌのうちの１つとすることができる。オプションとして、第１及び第２の先行するＴＴｌは同一とする。
【００２４】
前記基準値は、当該ユーザ装置が、絶対値である特性で第１の先行するＴＴｌより遅いＴＴｌに適用可能な信号（又はグラント）を受信する場合、第２の先行するＴＴｌにおける第２送信パラメータの値であるように選択され、該基準値は、それ以外では、第１の先行するＴＴｌにおける第１送信パラメータの値となるように選択される。
【００２５】
本発明による方法の一実施例では、データは複数のプロセスで伝送され、前記基準値はユーザ装置により、第１の先行するＴＴｌより遅いＴＴｌに適用可能な先行する第２信号（又は絶対グラント）が全プロセス第２信号（若しくは絶対グラント）又は単一プロセス第２信号（又は絶対グラント）であるという特性を有しているかに依存して選択される。
【００２６】
全プロセス第２信号（又は絶対グラント）の場合、前記基準値は第２の先行するＴＴｌにおける第２送信パラメータの値となるように選択することができ、単一プロセス第２信号（又は絶対グラント）の場合、前記基準値は第１の先行するＴＴｌにおける第１送信パラメータの値となるように選択することができる。
【００２７】
上記第１及び第２伝送パラメータの少なくとも一方は、下記のうちの１つを有することができる。即ち、データを送信するために利用可能な電力、データ送信に利用可能なレート、データ送信に利用可能な電力と制御信号の送信に使用される電力との間の比、データ送信に使用される電力、データ送信に使用されるレート、及びデータ送信に使用される電力と制御信号の送信に使用される電力との間の比である。
【００２８】
本発明による方法の他の実施例では、前記第１送信パラメータはデータ送信に使用される電力と制御信号の送信に使用される電力との間の比であり、前記第２送信パラメータはデータ送信に利用可能な電力と制御信号の送信に使用される電力との間の比である。
【００２９】
本発明による方法の更なる実施例では、第２信号（又は絶対グラント）の関連する特性は、第１の先行するＴＴｌにおける第１送信パラメータの値と比較した該信号の値である。前記基準値は、第２信号（又は絶対グラント）が第１の先行するＴＴｌにおける第１送信パラメータの値より低い値を有することに応答して、第２の先行するＴＴｌにおける第２送信パラメータの値となるように選択することができるか、又は第２信号（又は絶対グラント）が第１の先行するＴＴｌにおける第１送信パラメータの値より高い値を有することに応答して、第１の先行するＴＴｌにおける第１送信パラメータの値となるように選択することができる。
【００３０】
本発明による方法の更に他の実施例においては、前記１以上のグラントの特性は、第３信号（又は相対グラント）に関係するものである。動作時において、前記基準値は、第３信号（又は相対グラント）が減少であることに応答して第１の値となるように選択される一方、該基準値は第３信号（又は相対グラント）が増加（インクリメント）であることに応答して第２の値となるように選択される。
【００３１】
上記第１の値は、第１の先行するＴＴｌにおける第１送信パラメータの値及び第２の先行するＴＴｌにおける第２送信パラメータの値のうちの小さい方とすることができる一方、上記第２の値は、第１の先行するＴＴｌにおける第１送信パラメータの値と、第２の先行するＴＴｌにおける第２送信パラメータの値と、第１の先行するＴＴｌにおける第１送信パラメータの値及び第２の先行するＴＴｌにおける第２送信パラメータの値のうちの大きい方とのうちの１つとすることができる。
【００３２】
本発明による方法の更に他の実施例においては、前記通信装置はＵＭＴＳシステムにおける動作に適したものとすることができ、前記第２信号は絶対グラントを有し、前記第３信号は相対グラントを有し、前記基準値は所定のタイムウインドウ内で受信された単一プロセス絶対グラントが当該相対グラントと同一のＨＡＲＱ（ハイブリッド自動繰返要求）プロセスで識別された場合は第１の値となるように選択され、前記基準値は所定のタイムウインドウ内で受信された単一プロセス絶対グラントが当該相対グラントのものとは異なるＨＡＲＱ（ハイブリッド自動繰返要求）プロセスで識別された場合は第２の値となるように選択される。
【００３３】
本発明の第５態様によれば、スケジューラとユーザ装置とを有する通信システムを動作させる方法であって、該方法が、上記ユーザ装置を絶対グラントと相対グラントとの組み合わせで制御するステップを有し、上記絶対グラント又は相対グラントに付与される優先度が、これらグラントのうちの１以上のものの特性に依存するような方法が提供される。
【発明を実施するための最良の形態】
【００３４】
以下、本発明を、添付図面を参照して例示として説明する。尚、図面において同一の符号は対応するフィーチャを示すために用いられている。
【００３５】
図１ないし４は本明細書の冒頭で既に説明したので、これら図は図５ないし７の下記の記載では再度説明することはない。
【００３６】
図５を参照すると、当該ＵＭＴＳシステムアーキテクチャは、少なくとも１つの一次（又は基地）局ＰＳと、ユーザ装置（ＵＥ）と呼ぶ複数の二次局ＵＥ１、ＵＥ２とを有している。上記又は各一次局ＰＳは送受信器１０を含む。該送受信器１０はスケジューラ１２に結合され、該スケジューラは１以上のグラントをスケジューリングするチャンネル上で制御送信情報を送信することにより自身のサービス領域内の複数のＵＥを制御するためのプログラムソフトウェアに従って動作するようなプロセッサを有している。上記一次局は、データ源１６から受信されたデータ及び当該システムの動作に関係する他の情報（例えば、制御ソフトウェア）を記憶するための記憶手段１４を更に有している。ＵＥの各々（ＵＥ１、ＵＥ２）は、送受信器２０、当該ＵＥの動作を制御するプロセッサ２２、並びにデータ及び制御ソフトウェアを記憶する記憶手段２４を有している。プロセッサ２２にはユーザインターフェース２６が結合されている。ユーザインターフェース２６は、キーパッド、ビデオ表示スクリーン、マイクロフォン及びスピーカを有している。
【００３７】
図６の実施例では、相対グラントに対する基準値は、先行する絶対グラントＡＧが"全プロセスグラント"であるか又は"単一プロセスグラント"であるかに依存する。この場合、本発明に従い動作するＵＥは、ＴＴｌ２に対するＡＧが全プロセス絶対グラント（当該グラントの全プロセス的性質は当該ＵＥのデータ送信電力に対するハードリミットを意味すると解釈する）であったなら図６に示すように動作する一方、該ＵＥはＴＴｌ２に対するＡＧが単一プロセス絶対グラントであったなら図３のようなままとなる。言い換えると、ＴＴｌ９に対して受信されたＲＧは、ＴＴｌ２に対して受信されたＡＧが単一プロセスグラントであるなら、該ＴＴｌ２に対するＡＧよりも優先度を有する一方、ＴＴｌ２に対するＡＧは該ＴＴｌ２に対するＡＧが全プロセスグラントであるならＴＴｌ９に対するＲＧよりも優先度を有し、ＴＴｌ９に対するＳＧの変化（即ち、ＳＧレベル３８への変化）は、ＴＴｌ８におけるＳＧレベル３２に対してなされる。このようにして、ＵＥにおける全ＨＡＲＱプロセスに対して送信される、より低いサービンググラントを使用する指示情報は、当該ＵＥにおいて現在送信されている電力を受信された絶対グラントにより設定されたリミットより高く増加させるような相対グラントコマンドを送信しようとするスケジューラ１２（図５）の試みを打ち負かす（オーバーライドする）。
【００３８】
図７に示すフローチャートを参照すると、ブロック４０は、ＵＥがＴＴｌ１においてＳＧ３０でデータ送信を行うのを示している。ブロック４２は、スケジューラ１２がＴＴｌ２に対するＡＧを送信するのを示す。ブロック４４は、該ＡＧが全プロセスグラントであるかをＵＥがチェックするのを示している。もしそうなら（Ｙ）、ブロック４６において、当該ＵＥは全プロセスにおいてデータ送信電力にハードリミットを適用する。ブロック４８は、ＵＥがＴＴｌ９においてＲＧを受信するのを示す。ブロック５０は、前のＡＧが全プロセス絶対グラントであったこと及び該ＡＧが当該ＲＧより優先度を持つことを確認する。ブロック５２は、ＵＥが当該ＳＧを、ＴＴｌ８におけるＳＧに対して１段階又はインクリメントにより調整することを示す。
【００３９】
ブロック４４における回答が否定的（Ｎ）であった場合、ブロック５４において、ＵＥにより前記ＡＧが単一プロセス絶対グラントであるかがチェックされる。この回答が肯定的（Ｙ）である場合、ＵＥはプロセスＨＡＲＱ２〜８のデータ送信電力をＳＧレベル３２に低減する。ブロック５８は、当該ＵＥがＴＴｌ９に対するＲＧを受信することを示す。ブロック６０は、前のＡＧが単一プロセス絶対グラントであったこと及び当該ＲＧが該ＡＧよりも優先度を有することを確認する。ブロック６２は、ＵＥがＴＴｌ１におけるＳＧレベル３０に対して１段階又はインクリメントによりＳＧを調整することを示す。
【００４０】
他の実施例においては、絶対グラントの関連する特性は、特性が決定されるべき相対グラントに対するデフォルトの基準点（即ち、上述した例ではＴＴｌ１）と比較した該絶対グラントの値とすることができる。例えば、基準点以後に受信されたＡＧが該基準点におけるＳＧの値より低い値を有する場合、該ＡＧが優先するようにする一方、該ＡＧが基準点におけるＳＧの値より高い値を有していた場合は、ＲＧが優先するようにする。
【００４１】
優先するＡＧは、幾つかの実施例においては、ＲＧが該ＡＧの値に対してＳＧを設定することを意味するが、他の実施例では、該優先するＡＧはＲＧがＳＧの最も最近の値に対してＳＧを設定することを意味し得ることに注意されたい。
【００４２】
他の実施例においては、ＡＧの関連する特性は、該ＡＧが当該ＲＧと同一のＨＡＲＱプロセスで識別されるかどうかとすることができる。例えば、"単一プロセス"であり、該単一プロセスがＲＧと同一のＨＡＲＱプロセスであるようなＡＧが、該ＲＧより優先する一方、基準点以後に受信されたＡＧのみが"単一プロセス"であり、該単一プロセスが当該ＲＧに対応するプロセスとは異なる場合、該ＲＧが優先し得る（上述したように）。この場合、"全プロセス"ＡＧは、実施例に依存して何れかの方法で処理することができる。
【００４３】
他の実施例では、上記関連する特性は当該ＲＧ自体に関係するものとすることができる。例えば、ＲＧが"低下"の場合、該ＲＧは基準点のＳＧ値及び最も最近のＳＧ値のうちの低い方に適用される一方、ＲＧが"上昇"の場合、該ＲＧは基準点ＳＧ値に対して適用される。
【００４４】
本発明の他の態様においては、ユーザ装置ＵＥは、共に同一のＴＴｌに適用可能な相対グラント及び絶対グラントを受信することができる。この場合、ＵＥはグラントのうちのどちらに作用すべきかを、絶対グラントが全プロセスであるか若しくは単一プロセスであるかに依存して、又は２つのグラントのうちのどちらが低い方か若しくは高い方かに依存して選択することができる。例えば、ＡＧが単一プロセスである場合、ＵＥはＴＴｌ１におけるデフォルト基準点に対してＲＧに作用すると共に、ＡＧを無視することができる一方、ＡＧが全プロセスである場合、ＵＥはＳＧをＡＧに従って設定すると共に、ＲＧを無視することができるか、又はその逆とすることができる。他の例として、例えばＵＥはＳＧを、ＡＧにより与えられる値及びＲＧをデフォルトの基準点に適用することにより与えられる値のうちの低い方に設定することができる。
【００４５】
以上、本発明をアップリンク上のデータ伝送に関連して説明したが、本発明の教示内容はダウンリンク伝送及びＵＭＴＳ以外のシステムにも適用することができると理解されるべきである。
【００４６】
尚、本明細書及び請求項において、単数形の構成要素は複数の斯かる構成要素の存在を排除するものではない。更に、"有する"なる用語は、記載されたもの以外の他の構成要素又はステップの存在を排除するものではない。
【００４７】
また、請求項において括弧内に符号を記入したことは、理解を補助するためのもので、限定することを意図するものではない。
【００４８】
また、本開示を精読すれば、当業者には他の変形例が明らかとなるであろう。このような変形例は従来から既知のフィーチャ及び本明細書で既述したフィーチャの代わりに又は追加して使用することが可能なフィーチャを含むことができる。
【図面の簡単な説明】
【００４９】
【図１】図１は、通信システムの簡略化されたブロック図である。
【図２】図２は、ＨＳＵＰＡを示す。
【図３】図３は、相対グラント"低下"による動作を示すグラフである。
【図４】図４は、相対グラント"上昇"による動作を示すグラフである。
【図５】図５は、本発明により形成されたＵＭＴＳシステムアーキテクチャの簡略化されたブロック図である。
【図６】図６は、全プロセス絶対グラントの場合の本発明による動作を示すグラフである。
【図７】図７は、本発明による方法の一実施例を示すフローチャートである。
【図１】
2009505475.tif 000003
【図２】
2009505475.tif 000004
【図３】
2009505475.tif 000005
【図４】
2009505475.tif 000006
【図５】
2009505475.tif 000007
【図６】
2009505475.tif 000008
【図７】
2009505475.tif 000009
【国際調査報告】
2009505475.tif 000010
2009505475.tif 000011
2009505475.tif 000012